(57)【要約】      （修正有）【課題】野球帽やＨＡＴ帽などで頭部を覆う際、電磁波でもある輻射熱等の軽減を図ることのできる輻射熱反射シートを提供する。【解決手段】アルミニウム素材からなる遮熱シートｄとシリカシートｊを積層した輻射熱反射シートｃを野球帽などの裏側部分に着脱可能に装着することにより、帽子内への電磁波でもある輻射熱の侵入を防ぐようにした。【選択図】図６
0003223916.tif 000002
【実用新案登録請求の範囲】
【請求項１】
帽子の裏側に着脱可能に装着する輻射熱反射シートであって、当該輻射熱反射シートは、アルミニウム素材からなる遮熱シートとシリカシートとを積層したことを特徴とする輻射熱反射シート。
【請求項２】
前記シリカシートは、不織布で挟みこまれていることを特徴とする請求項１記載の輻射熱反射シート。
【請求項３】
前記輻射熱反射シートは、前記帽子の裏側頭部に接する面にニット生地を貼りつけたことを特徴とする請求項１又は請求項２記載の輻射熱反射シート。
【請求項４】
前記輻射熱反射シートは、面ファスナー、両面テープまたはスナップボタンの何れかで、着脱可能に帽子に取り付けられる事を特徴とする請求項１ないし請求項３の何れか記載の輻射熱反射シート。
【考案の詳細な説明】
【技術分野】
【０００１】  本考案は、野球帽やＨＡＴタイプの帽子などの裏側（内側）に取り付け、頭部の温度上昇を抑制する輻射熱反射シートに関するものである。
【背景技術】
【０００２】  従来の帽子は、生地をメッシュ地とすることで、風通を良くしたり、保冷剤や冷却材を取り付けて頭部温度の上昇を抑制するようにしていた。
【先行技術文献】
【０００３】
【特許文献１】実用新案登録３１８１１０６号
【考案の概要】
【考案が解決しようとする課題】
【０００４】  従来の帽子は、メッシュ生地を通して外気を取り入れて、汗を気化させたり、保冷剤や冷却材を入れて頭部温度を落としていたが、冷却時間が短かったり、無風状態などでは蒸れたりして、メッシュの生地を使用して風通しが良くても電磁波でもある輻射熱を直接、頭部に受けてしまう物であった。
本考案は、前記の欠点に鑑みなされたもので、帽子の裏側（内側）に、着脱可能に装着することにより、電磁波である輻射熱による頭部への影響を防止できるようにした、輻射熱反射シートを提供することを目的とする。
【課題を解決するための手段】
【０００５】  本考案の目的を達成するため、本考案のうち請求項１に記載の考案は、帽子の裏側に着脱可能に装着する輻射熱反射シートであって、当該輻射熱反射シートは、アルミニウム素材からなる遮熱シートとシリカシートとを積層したことを特徴とする輻射熱反射シートであることを特徴とする。【０００６】  また、請求項２に記載の考案は、前記シリカシートが不織布で挟みこまれている輻射熱反射シートであることを特徴とする。【０００７】  さらに請求項３に記載の考案は、前記輻射熱反射シートは、前記帽子の裏側頭部に接する面にニット生地を貼りつけたことを特徴とする。【０００８】  さらに請求項４に記載の考案は、前記輻射熱反射シートは、面ファスナー、両面テープまたはスナップボタンの何れかで、着脱可能に帽子に取り付けられる事を特徴とする。
【考案の効果】
【０００９】  本考案のうち請求項１に記載の考案によれば、輻射熱反射シートを帽子の裏側（内側）に装着することで、電磁波である輻射熱を反射させ外部からの熱の遮断が可能になり外気温度による頭部への負担が軽減できる効果ある。【００１０】  また、遮熱シートと積層したシリカシートで汗などによる臭いを防止すると共に湿度を減少させることができ、生理的にも着用者の負担を軽減できる効果がある。【００１１】  また請求項２に記載の考案によれば、請求項１に記載の考案による効果に加え、輻射熱反射シートのシリカシートは、不織布でビーズ状のシリカを挟み込む構造のため、ビーズ状のシリカがこぼれ落ちることがない効果がある。【００１２】  さらに請求項３に記載の考案によれば、請求項１又は請求項２に記載の考案による効果に加え、輻射熱反射シートにおける帽子の裏側頭部に接する面にニット生地を貼りつけたので、さらに湿度を減少させることができる効果がある。【００１３】  また請求項４に記載の考案によれば、請求項１乃至請求項３のいずれか記載の考案による効果に加え、帽子単体を洗濯したり、装着した輻射熱反射シートを新しいものに取り換えたりする際、容易に取り外す事の出来る効果がある。
【図面の簡単な説明】
【００１４】
【図１】本考案に係わる輻射熱反射シートを装着する帽子の一例として示す。
【図２】図１の帽子を裏返しにした状態を示す。
【図３】本考案に係わる輻射熱反射シートの実施例を示す。
【図４】図３の輻射熱反射シートを図１の帽子の裏側に取り付けた状態を示す。
【図５】図４に示す帽子のＸ―Ｘ’の断面を示す。
【図６】図３の輻射熱反射シートのＹ―Ｙ’の断面の一部を示す。
【考案を実施するための形態】
【実施例】
【００１５】  図１は本考案に係わる輻射熱反射シートｃを、装着する帽子ａの一例として示す。【００１６】  図２は帽子ａを裏返しにした状態を表し、帽子に一対の面ファスナーでｂ１（一方）ｂ２（他方）の内ｂ２を取り付けた状態を示す。【００１７】  図３は、帽子ａに装着できる様に裁断された本考案に係わる輻射熱反射シートｃの実施例を表す。【００１８】  図４は帽子ａの裏側に、輻射熱反射シートｃを、上記面ファスナーｂ２と対をなす面ファスナーｂ１によって取り付けた状態を示す。なお、アイロン等の熱で溶ける接着剤を付着した面ファスナーｂ１、ｂ２を用いる代わりにスナップボタンや両面テープを用いて輻射熱反射シートｃを帽子ａの内側に取り付ける事もできる。
これにより、輻射熱反射シートｃの帽子ａへの取り付けが着脱可能となって、輻射熱反射シートｃを取りはずして洗濯したり、新しい輻射熱反射シートに交換したりすることが簡単にできる。【００１９】  図５は帽子ａのＸ―Ｘ’の断面図で、輻射熱反射シートｃを面ファスナーｂ１、ｂ２で固定した状態を示す。【００２０】  図６のＹ−Ｙ’の断面図は、面ファスナーｂ１を取り付けた輻射熱反射シートｃの断面を示し、輻射熱反射シートｃは、アルミニウム素材の遮熱シートｄと不織布ｆで挟み込まれたシリカシートｊの各シートを積層してなり、さらに頭部に接触する側に表面シート状の吸汗・蒸散機能を持ったニット素材ｅを貼りつけた構造であり、これによりさらに湿度を減少させることが出来る。輻射熱反射シートｃの厚さは１．６ｍｍ程度とすると良い。【００２１】  図６の輻射熱反射シートｃ中の不織布ｆは臭いと湿気を吸収するビーズ状のシリカの脱落を防止する物であり、輻射熱反射シートｃを面ファスナーｂ１、ｂ２などで帽子ａの裏側に固定する事で、輻射熱反射シートｃの位置ずれや脱落を防止する。【００２２】  図６のｄは４層のアルミニウムシートを示し、電磁波でもある輻射熱を反射する事が出来る、アルミニウムシートを４層とすることでしなやかさと強度を確保する事ができる。【００２３】  表１は帽子ａの裏側に図３、図６に示す輻射熱反射シートｃを取り付け、帽子の内側（頭部部分）の温度を測定した結果である。輻射熱反射シートを取り付けた方は、湿度を大幅に抑えることができている。
【表１】
0003223916.tif 000003
【符号の説明】
【００２４】ａ  帽子
ｂ１  面ファスナー
ｂ２  面ファスナー
ｃ  輻射熱反射シート
ｄ  遮熱シート
ｅ  ニット生地
ｆ  不織布
ｊ  シリカシート
【図１】
0003223916.tif 000004
【図２】
0003223916.tif 000005
【図３】
0003223916.tif 000006
【図４】
0003223916.tif 000007
【図５】
0003223916.tif 000008
【図６】
0003223916.tif 000009